(57)【特許請求の範囲】
【請求項１】
パチンコ遊技機の遊技盤に設けられる可動演出装置において、
電飾手段と、
複数の可動装飾体と、
駆動手段とを備えて、
前記電飾手段は、単一のフレキシブルプリント基板と、複数の電飾作動素子とを具備しており、
前記フレキシブルプリント基板は、前記遊技盤の一部に支持される共通基板部と、この共通基板部とは一体的に形成されるとともに当該共通基板部から互いに独立的に延出されて前記複数の電飾作動素子のうちの少なくとも１つの電飾作動素子をそれぞれ前記駆動手段による駆動のもとに電飾作動可能に搭載してなる複数の帯状独立基板部とでもって構成されており、
前記複数の可動装飾体は、前記駆動手段により可動的に支持されて、それぞれ、前記複数の帯状独立基板部の各々を保持していることを特徴とするパチンコ遊技機のための可動演出装置。
【請求項２】
パチンコ遊技機の遊技盤に設けられる可動演出装置において、
前記遊技盤の中央開口部の外周部に沿い設けてなる環状のセンター構造物と前記遊技盤にその裏面側から前記中央開口部に対向するように設けられる表示パネルとの間に位置するように前記遊技盤の前記中央開口部の上部に支持される直方体状のハウジングであって前記表示パネルの前面に沿うように位置する前後両壁を有するハウジングと、
電飾手段と、
複数の可動装飾体と、
駆動手段とを備えて、
前記電飾手段は、
単一のフレキシブルプリント基板と、
複数の電飾作動部をそれぞれ有する複数の電飾作動素子とを具備しており、
前記フレキシブルプリント基板は、
前記ハウジングの一部に支持される共通基板部と、
この共通基板部とは一体的に形成されるとともに当該共通基板部から互いに独立的に延出されて前記複数の電飾作動素子のうちの少なくとも１つの電飾作動素子を電飾作動可能に搭載してなる各帯状独立基板部とでもって構成されて、
前記共通基板部に内包される共通層部、及びこの共通層部とは一体的に形成されるとともに当該共通層部から互いに独立して並行に延出してそれぞれ前記複数の帯状独立基板部に内包される各帯状独立層部により構成してなる柔軟性電気絶縁層と、
当該柔軟性電気絶縁層の一側面に沿い前記共通層部から前記複数の帯状独立層部にかけてそれぞれ独立的に延在するように柔軟性金属箔でもって形成してなる複数の一側配線であってそれぞれ互いに独立した並行な複数の信号配線部からなる複数の一側配線と、
前記共通層部の他側面に沿い設けられる共通配線部、及びこの共通配線部から延出されて前記複数の帯状独立層部の各々に沿い設けられる各独立配線部を有するように、柔軟性金属箔でもって一体的に形成してなる他側配線とを具備しており、
前記複数の電飾作動素子は、それぞれ、前記複数の帯状独立基板部に前記柔軟性電気絶縁層の前記一側面側から搭載されて、各対応の前記複数の電飾作動部の各一側端子にて、各対応の前記複数の信号配線部の各々に接続され、各対応の前記複数の電飾作動部の各他側端子にて、前記複数の帯状独立層部の各々を介し、前記各独立配線部に接続されており、
前記複数の帯状独立層部は、それぞれ、前記各独立配線部の長手方向中間部位から各対応の前記複数の信号配線部の各長手方向中間部位に向けて凸な湾曲形状となるように、前記複数の可動装飾体の各々及び前記ハウジングによって支持されており、
前記複数の可動装飾体は、それぞれ、前記複数の帯状独立基板部の各々をその先端側にて保持して、各対応の前記複数の信号配線部をその各長手方向中間部位の湾曲方向或いはその逆方向に変位させつつ移動するように、前記駆動手段により駆動されることを特徴とするパチンコ遊技機のための可動演出装置。
【請求項３】
前記駆動手段は、
電動機と、
前記ハウジング内にて左右方向に順次隣接して収容される複数の歯車部材と、
前記ハウジング内にて前記複数の歯車部材にそれぞれ対応して位置する複数の板状案内部材とを備えて、
前記複数の歯車部材は、それぞれ、前記後壁を介し回転可能に支持される歯車部と、当該歯車からその軸心よりもずれた位置にて前方へ突出する突起部との双方を具備し、
前記電動機は、前記ハウジングの前記後壁に前記複数の歯車部材のうちいずれか１つの歯車部材の歯車部と同軸的に対向するように支持されて、前記いずれか１つの歯車部材の歯車部と同軸的に連結されており、
前記複数の板状案内部材は、それぞれ、長手状板部と、当該長手状板部から後方に向け左右方向に長手状に開口するように形成されて前記複数の歯車部材の対応歯車部材の前記突起部を相対移動可能に収容する凹部と、前記長手状板部から前方に向けて突出する突起部とを具備し、
前記共通基板部は、前記ハウジング内にて前記前壁の下部に固定されるとともに、前記各独立基板部は、各対応の前記電飾作動素子を前方側に露呈させるように、前記前壁にその前記下部の上側にて左右方向に形成した各開口部を通して前方へ挿通されており、
前記複数の可動装飾体は、それぞれ、対応の前記電飾作動素子を内包するように対応の前記独立基板部を保持する装飾部材と、当該装飾部材から上方へ延出される長手状支持アームとを具備して、
前記複数の板状案内部材は、それぞれ、その前記突起部にて、前記ハウジングの前記前壁のうち前記各開口部の各上側部位に形成した各長手状溝部を通して前記複数の可動装飾体の前記各支持アームの長手方向中間部位に前記長手状溝部の長手方向に移動可能に連結されており、
前記複数の可動装飾体の前記各支持アームは、その長手方向上部にて、前記長手状溝部にその長手方向に移動可能に連結されていることを特徴とする請求項２に記載のパチンコ遊技機のための可動演出装置。
【発明の詳細な説明】
【技術分野】
【０００１】
本発明は、パチンコ遊技機に係り、特に、遊技者の遊技に伴い遊技盤の盤面に沿い動作することで演出するようにしたパチンコ遊技機のため可動演出装置に関する。
【背景技術】
【０００２】
従来、パチンコ遊技機においては、下記特許文献１に記載の可動盤面部品を有する遊技機が提案されている。この遊技機の可動盤面部品は、ギミックからなるもので、当該ギミックは、ギミック本体と、このギミック本体を駆動する駆動機構とにより構成されている。
【０００３】
ここで、ギミック本体は、表面部材、プリント基板、アーム部及びハーネスを備えている。プリント基板は、表面部材にその裏面側から設けられており、このプリント基板には、表面部材にその裏面側から対向するように複数の発光ダイオードが搭載されている。ハーネスは、複数の発光ダイオードを電源に接続するように、アーム部に沿い配線されている。
【０００４】
しかして、当該可動盤面部品は、遊技機の中央開口部の下部に位置して、ギミック本体にて、駆動機構による駆動のもと、当該駆動機構を基準にて、左右方向に回動するようになっている。
【先行技術文献】
【特許文献】
【０００５】
【特許文献１】特開２００９−１９５３３９号公報
【発明の概要】
【発明が解決しようとする課題】
【０００６】
ところで、上記遊技機の可動盤面部品においては、複数の発光ダイオードをハーネスにより電源に接続するにあたり、ハーネスを、コネクタを介し、電源に接続するという面倒な作業が必要となり、複数の発光ダイオードの電源への接続に手間がかかるという不具合がある。
【０００７】
また、ハーネスは、アーム部に沿い配線されるものの、当該ハーネスは、アーム部内に押さえ込まれる程度であって、アーム部とは独立しどちらかといえば自由な部品として存在するため、部品点数の増大を招くのは勿論のこと、上述したハーネスの押さえ込みに要する構成が余分に必要となるという不具合が生ずる。
【０００８】
これに対しては、上述の複数の発光ダイオードを搭載したプリント基板とは別途のプリント配線板をハーネスに代えて採用することも考えられる。ここで、別途のプリント配線板が、プリント基板と、これに形成したハーネスに対応するプリント配線でもって構成されれば、ハーネスとアーム部という２部品が、プリント配線板という単一の部品となる点で、一応、部品点数の減少にはつながるとも考えられる。
【０００９】
しかしながら、プリント基板に搭載の複数の発光ダイオードとプリント配線板のプリント配線に接続するコネクタ等の回路構成が必要となるので、当該回路構成における接続作業が必須となり、複数の発光ダイオードの電源への接続に手間がかかるという不具合には変わりがない。
【００１０】
そこで、本発明は、以上のようなことに対処するため、単一のフレキシブルプリント基板を採用して、複数の可動装飾体を各対応の電飾作動素子と共に遊技盤の盤面に沿い移動可能とするように、上記フレキシブルプリント基板を構成することで、従来必須とされてきた基板点数、各電飾作動素子の電飾作動のための配線等の部品点数や組み立て作業工数を軽減させるようにしたパチンコ遊技機のための可動演出装置を提供することを目的とする。
【課題を解決するための手段】
【００１１】
上記課題の解決にあたり、本発明は、請求項１の記載によれば、パチンコ遊技機の遊技盤（Ｂａ）に設けられる可動演出装置において、
電飾手段（２３０）と、
複数の可動装飾体（２４０ａ、２４０ｂ、２４０ｃ）と、
駆動手段（２７０、２６０ａ〜２６０ｃ、２５０ａ〜２５０ｃ、２４５〜２４７）とを備えて、
電飾手段は、単一のフレキシブルプリント基板（２３０ａ）と、複数の電飾作動素子（２３６ａ、２３６ｂ、２３７ａ、２３７ｂ、２３８ａ、２３８ｂ）とを具備しており、
フレキシブルプリント基板は、遊技盤の一部に支持される共通基板部（２３０ｃ）と、この共通基板部とは一体的に形成されるとともに当該共通基板部から互いに独立的に延出されて複数の電飾作動素子のうちの少なくとも１つの電飾作動素子をそれぞれ駆動手段による駆動のもとに電飾作動可能に搭載してなる複数の帯状独立基板部（２３０ｄ〜２３０ｆ）とでもって構成されており、
複数の可動装飾体は、駆動手段により可動的に支持されて、それぞれ、複数の帯状独立基板部の各々を保持していることを特徴とする。
【００１２】
このように、遊技盤の一部に支持される共通基板部と、この共通基板部とは一体的に形成されるとともに当該共通基板部から互いに独立的に延出されて複数の電飾作動素子のうちの少なくとも１つの電飾作動素子を電飾作動可能に搭載してなる複数の帯状独立基板部とが、単一のフレキシブルプリント基板でもって構成される。
【００１３】
このため、可動演出装置において従来必須とされてきた複数の基板が、単一のフレキシブル基板で済むこととなり、その結果、可動演出装置における構成部品の点数、各電飾作動素子の電飾作動のための配線等の接続部品の点数や可動演出装置の組み立て作業工数を低減することができる。
【００１４】
また、本発明は、請求項２の記載によれば、パチンコ遊技機の遊技盤（Ｂａ）に設けられる可動演出装置において、
遊技盤の中央開口部（１３）の外周部に沿い設けてなる環状のセンター構造物（３０）と遊技盤にその裏面側から上記中央開口部に対向するように設けられる表示パネル（１１１）との間に位置するように遊技盤の上記中央開口部の上部に支持される直方体状のハウジングであって表示パネルの前面に沿うように位置する前後両壁（２１０、２１０ａ）を有するハウジング（２１０、２２０）と、
電飾手段（２３０）と、
複数の可動装飾体（２４０ａ、２４０ｂ、２４０ｃ）と、
駆動手段（２７０、２６０ａ〜２６０ｃ、２５０ａ〜２５０ｃ、２４５〜２４７）とを備えて、
電飾手段は、
単一のフレキシブルプリント基板（２３０ａ）と、
複数の電飾作動部（Ｒ、Ｇ、Ｂ）をそれぞれ有する複数の電飾作動素子（２３６ａ、２３６ｂ、２３７ａ、２３７ｂ、２３８ａ、２３８ｂ）とを具備しており、
フレキシブルプリント基板は、
ハウジングの一部に支持される共通基板部（２３０ｃ）と、
この共通基板部とは一体的に形成されるとともに当該共通基板部から互いに独立的に延出されて複数の電飾作動素子のうちの少なくとも１つの電飾作動素子を電飾作動可能に搭載してなる各帯状独立基板部（２３０ｄ〜２３０ｆ）とでもって構成されて、
上記共通基板部に内包される共通層部（２３１ａ）、及びこの共通層部とは一体的に形成されるとともに当該共通層部から互いに独立して並行に延出してそれぞれ上記複数の帯状独立基板部に内包される各帯状独立層部（２３１ｂ〜２３１ｄ）により構成してなる柔軟性電気絶縁層（２３１）と、
当該柔軟性電気絶縁層の一側面に沿い上記共通層部から上記複数の帯状独立層部にかけてそれぞれ独立的に延在するように柔軟性金属箔でもって形成してなる複数の一側配線であってそれぞれ互いに独立した並行な複数の信号配線部（２３２ａ〜２３２ｃ、２３３ａ〜２３３ｃ、２３４ａ〜２３４ｃ）からなる複数の一側配線（２３２〜２３４）と、
上記共通層部の他側面に沿い設けられる共通配線部（２３５ａ）、及びこの共通配線部から延出されて上記複数の帯状独立層部の各々に沿い設けられる各独立配線部（２３５ｂ〜２３５ｄ）を有するように、柔軟性金属箔でもって一体的に形成してなる他側配線（２３５）とを具備しており、
複数の電飾作動素子は、それぞれ、上記複数の帯状独立基板部に柔軟性電気絶縁層の上記一側面側から搭載されて、各対応の上記複数の電飾作動部の各一側端子にて、各対応の上記複数の信号配線部の各々に接続され、各対応の上記複数の電飾作動部の各他側端子にて、上記複数の帯状独立層部の各々を介し、上記各独立配線部に接続されており、
上記複数の帯状独立層部は、それぞれ、上記各独立配線部の長手方向中間部位から各対応の上記複数の信号配線部の各長手方向中間部位に向けて凸な湾曲形状となるように、複数の可動装飾体の各々及びハウジングによって支持されており、
複数の可動装飾体は、それぞれ、上記複数の帯状独立基板部の各々をその先端側にて保持して、各対応の上記複数の信号配線部をその各長手方向中間部位の湾曲方向或いはその逆方向に変位させつつ移動するように、駆動手段により駆動されることを特徴とする。
【００１５】
このように、ハウジングの一部に支持される共通基板部と、この共通基板部とは一体的に形成されるとともに当該共通基板部から互いに独立的に延出されて複数の電飾作動素子のうちの少なくとも１つの電飾作動素子を電飾作動可能に搭載してなる複数の帯状独立基板部とが、単一のフレキシブルプリント基板でもって構成される。
【００１６】
ここで、当該フレキシブル基板に内包される柔軟性電気絶縁層、複数の一側配線及び他側配線のうち、柔軟性電気絶縁層は、共通層部と、この共通層部とは一体的に形成されるとともに当該共通層部から互いに独立して並行に延出する各帯状独立層部とによって構成されており、共通層部は、フレキシブル基板の共通基板部に内包され、また各帯状独立層部は、複数の帯状独立基板部の各々に内包されている。
【００１７】
また、複数の一側配線は、それぞれ、互いに独立した並行な複数の信号配線部として、柔軟性電気絶縁層の表面に沿い共通層部から複数の帯状独立層部にかけて形成されてフレキシブル基板に内包されている。また、他側配線は、共通配線部と、この共通配線部から一体的に延出する複数の独立配線部とによって構成されて、共通配線部にて、柔軟性電気絶縁層の共通層部にその裏面側から形成され、かつ複数の独立配線部にて、柔軟性電気絶縁層の複数の帯状独立層部にその裏面側から形成されて、フレキシブル基板に内包されている。
【００１８】
また、複数の電飾作動素子が、それぞれ、複数の帯状独立基板部に柔軟性電気絶縁層の表面側から搭載されており、当該複数の電飾作動素子の各々の複数の電飾作動部は、その各一側端子にて、複数の信号配線部の各々に接続され、その各他側端子にて、複数の帯状独立層部の各々を介し、上記各独立配線部に接続されている。
【００１９】
このため、可動演出装置において従来必須とされてきた複数の基板が、単一のフレキシブル基板で済むこととなり、その結果、可動演出装置における構成部品の点数、各電飾作動素子の電飾作動のための配線等の接続部品の点数や可動演出装置の組み立て作業工数を低減させることができる。
【００２０】
また、上述のごとく、フレキシブル基板は、その複数の帯状独立基板部にて、それぞれ、各独立配線部の長手方向中間部位から各対応の上記複数の信号配線部の各長手方向中間部位に向けて凸な湾曲形状となるように、複数の可動装飾体の各々及びハウジングによって支持されており、複数の可動装飾体は、それぞれ、複数の帯状独立基板部の各々をその先端側にて保持して、駆動手段による駆動のもと、複数の信号配線部をその各長手方向中間部位の湾曲方向或いはその逆方向に変位させつつ移動する。
【００２１】
これにより、フレキシブル基板は、複数の帯状独立基板部にて上述のように変位するにあたり、複数の信号配線部を複数の独立配線部の外側に位置させた状態で、複数の帯状独立基板部が上述のように湾曲状に変位する。このため、複数の帯状独立基板部の上述の湾曲状変位による負荷は、複数の独立配線部よりも各複数の信号配線部の方に小さく作用する。
【００２２】
このため、複数の信号配線部が、その長手方向湾曲部位にて、断線等の導通不良を招くことはない。その結果、上述のような可動演出装置における構成部品の点数、各電飾作動素子の電飾作動のための配線等の接続部品の点数や可動演出装置の組み立て作業工数を低減させる作用効果が、複数の信号配線部の断線等の導通不良の発生を未然に防止しつつ、達成され得る。
【００２３】
また、本発明は、請求項３の記載によれば、請求項２に記載のパチンコ遊技機のための可動演出装置において、
駆動手段は、
電動機（２７０）と、
ハウジング内にて左右方向に順次隣接して収容される複数の歯車部材（２６０ａ〜２６０ｃ）と、
ハウジング内にて複数の歯車部材にそれぞれ対応して位置する複数の板状案内部材（２５０ａ〜２５０ｃ）とを備えて、
複数の歯車部材は、それぞれ、上記後壁を介し回転可能に支持される歯車部（２６１、２６３、２６６）と、当該歯車からその軸心よりもずれた位置にて前方へ突出する突起部（２６２、２６４、２６７）との双方を具備し、
電動機は、ハウジングの上記後壁に複数の歯車部材のうちいずれか１つの歯車部材の歯車部と同軸的に対向するように支持されて、上記いずれか１つの歯車部材の歯車部と同軸的に連結されており、
複数の板状案内部材は、それぞれ、長手状板部（２５１、２５４、２５５）と、当該長手状板部から後方に向け左右方向に長手状に開口するように形成されて複数の歯車部材の対応歯車部材の上記突起部を相対移動可能に収容する凹部（２５２、２５５、２５８）と、上記長手状板部から前方に向けて突出する突起部（２５３、２５６、２５９）とを具備し、
上記共通基板部は、ハウジング内にて上記前壁の下部に固定されるとともに、上記各独立基板部は、各対応の電飾作動素子を前方側に露呈させるように、上記前壁にその上記下部の上側にて左右方向に形成した各開口部（２２１〜２２３）を通して前方へ挿通されており、
複数の可動装飾体は、それぞれ、対応の電飾作動素子を内包するように対応の上記独立基板部を保持する装飾部材（２４１）と、当該装飾部材から上方へ延出される長手状支持アーム（２４２〜２４４）とを具備して、
複数の板状案内部材は、それぞれ、その上記突起部にて、ハウジングの上記前壁のうち上記各開口部の各上側部位に形成した各長手状溝部（２２６〜２２８）を通して複数の電飾作動素子の各支持アームの長手方向中間部位に上記長手状溝部の長手方向に移動可能に連結されており、
複数の電飾作動素子の各支持アームは、その長手方向上部にて、上記長手状溝部にその長手方向に移動可能に連結されていることを特徴とする。
【００２４】
これによれば、電動機が回転すると、上記いずれか１つの歯車部材が、その歯車部と共に、回転し、残りの両歯車部材も回転するとともに、各歯車部材の突起部が、当該各歯車部材の歯車の軸周りに回転する。これに伴い、複数の板状案内部材が、それぞれ、各長手状溝部にて、その対応の各歯車部材の突起部によりその回転に伴い押動されると、当該複数の板状案内部材は、それそれ、その各突起部にて、ハウジングの各長手状溝部に沿い、各対応の各歯車部材の突起部による押動方向に各対応の可動装飾体とともに往復移動する。このとき、電飾手段においては、フレキシブル基板の各独立基板部が、上述のような各湾曲状態にて、各対応の可動装飾体の移動方向に往復変位する。
【００２５】
このような状態において、複数の電飾作動素子が、その各電飾作動部にて、それぞれ、各対応の独立基板部ごとに、電飾作動すれば、複数の可動装飾体は、その各対応の電飾作動素子の電飾作動と相俟って、当該パチンコ遊技機のための演出作動を発揮する。
【００２６】
ここで、フレキシブルプリント基板の各独立基板部が上述のごとく柔軟性を有するため、当該各独立基板部が、上述のごとく湾曲したまま往復変位しても、フレキシブル基板の各独立基板部は、破断等を招くことなく、良好に往復変位を行い得るとともに、フレキシブル基板の各一側配線は、柔軟性電気絶縁層の裏側ではなく表面側に形成されているから、当該各一側配線の各信号配線部が、断線等による導通不良を招くこともない。また、このような作用効果が、請求項２に記載の発明の作用効果と相俟って達成され得る。
【００２７】
なお、上記各手段の括弧内の符号は、後述する実施形態に記載の具体的手段との対応関係を示す。
【図面の簡単な説明】
【００２８】
【図１】本発明に係るパチンコ遊技機の一実施形態を示す前面図である。
【図２】図１のパチンコ遊技機の遊技盤を示す前面図である。
【図３】図１の可動演出装置を示す分解斜視図である。
【図４】図３の可動演出装置において電飾盤及びこの電飾盤を組み付けた他側ハウジング部材を示す拡大斜視図である。
【図５】図４の電飾盤を示す斜視図である。
【図６】図５の電飾盤におけるフレキシブル基板の部分破断表面図である。
【図７】図５の電飾盤におけるフレキシブル基板の部分破断裏面図である。
【図８】図３の可動演出装置において電飾作動素子、フレキシブル基板の独立基板部及び一対の電飾作動素子との間に位置関係の一例を示す斜視図である。
【図９】図３の可動演出装置において複数の電飾作動素子を複数の歯車部材及び電飾盤と共に他側ハウジング部材に組み付けた構成を複数の電飾作動素子側からみた一作動状態で示す組み付け構成図である。
【図１０】図３の可動演出装置において複数の電飾作動素子、複数の歯車部材及び電飾盤との間の組み付け構成を、他側ハウジング部材を省略した状態にて電飾盤及び複数の歯車部材側からみた一作動状態で示す部分破断組み付け構成図である。
【図１１】図３の可動演出装置において複数の電飾作動素子、複数の歯車部材及び電飾盤との間の組み付け構成を、他側ハウジング部材を省略した状態にて電飾盤及び複数の歯車部材側からみた一作動状態で示す部分破断組み付け構成斜視図である。
【図１２】図３の可動演出装置において複数の電飾作動素子を複数の歯車部材及び電飾盤と共に他側ハウジング部材に組み付けた構成を複数の電飾作動素子側からみた他の作動状態で示す組み付け構成図である。
【図１３】図３の可動演出装置において複数の電飾作動素子、複数の歯車部材及び電飾盤との間の組み付け構成を、他側ハウジング部材を省略した状態にて電飾盤及び複数の歯車部材側からみた他の作動状態で示す部分破断組み付け構成図である。
【図１４】図３の可動演出装置において複数の電飾作動素子、複数の歯車部材及び電飾盤との間の組み付け構成を、他側ハウジング部材を省略した状態にて電飾盤及び複数の歯車部材側からみた他の作動状態で示す部分破断組み付け構成斜視図である。
【図１５】図３の可動演出装置において複数の電飾作動素子を複数の歯車部材及び電飾盤と共に他側ハウジング部材に組み付けた構成を複数の電飾作動素子側からみた他の作動状態で示す組み付け構成図である。
【図１６】図３の可動演出装置において複数の電飾作動素子、複数の歯車部材及び電飾盤との間の組み付け構成を、他側ハウジング部材を省略した状態にて電飾盤及び複数の歯車部材側からみた他の作動状態で示す部分破断組み付け構成図である。
【図１７】図３の可動演出装置において複数の電飾作動素子、複数の歯車部材及び電飾盤との間の組み付け構成を、他側ハウジング部材を省略した状態にて電飾盤及び複数の歯車部材側からみた他の作動状態で示す部分破断組み付け構成斜視図である。
【図１８】（ａ）〜（ｃ）は、図３の可動演出装置において他側ハウジング部材に沿う一電飾作動素子の移動状態の変化を当該電飾作動素子側からみた状態で示す部分破断説明図である。
【発明を実施するための形態】
【００２９】
以下、本発明の一実施形態について図面を参照して説明する。
【００３０】
図１は、本発明が適用されるパチンコ遊技機の一実施形態を示している。当該パチンコ遊技機は、パチンコホール内の島に立設されるもので、このパチンコ遊技機は、機枠（図示しない）と、この機枠に対し前後方向に開閉可能に支持される遊技機本体Ｂ及び前扉ＦＤとにより構成されている。なお、上記パチンコ遊技機は、いわゆるデジパチ型のパチンコ遊技機である。
【００３１】
遊技機本体Ｂは、図２にて示すごとく、遊技盤Ｂａを備えており、この遊技盤Ｂａは、遊技機本体Ｂの枠体（図示しない）に嵌装されている。なお、遊技機本体Ｂは、上記枠体にて、上記機枠に対し前後方向に開閉可能に支持されている。
【００３２】
当該遊技盤Ｂａは、遊技板１０と、ガイドレール２０、環状センター構造物３０及び遊技釘群４０とを備えている。ガイドレール２０は、遊技板１０の前面１１（以下、遊技盤Ｂａの盤面１１ともいう）に沿い配設されており、このガイドレール２０は、その内周側において、遊技板１０の前面１１上に遊技領域１２を形成する。
【００３３】
しかして、ガイドレール２０は、ハンドルＨ（図１参照）の回動操作により、球発射装置（図示しない）から発射される遊技球を案内して、遊技領域１２内に転動させる。なお、上記球発射装置は、遊技機本体Ｂの上記枠体の右下部に配設されている。また、ハンドルＨは、上記球発射装置の一構成部品として遊技機本体Ｂの上記枠体の右下部にその前面から設けられている。
【００３４】
センター構造物３０は、図２にて示すごとく、遊技板１０の中央開口部１３（遊技盤Ｂａの中央開口部１３ともいう）の外周部に前面１１側から組み付けられている。遊技釘群４０は、多数の遊技釘４１からなるもので、これらの各遊技釘４１は、ガイドレール２０の内側において、センター構造物３０の左側から下側にかけて、遊技板１０にその前面１１側から分散して打ち込まれている。しかして、遊技釘群４０によれば、ガイドレール２０から遊技領域１２内に案内される遊技球が、遊技板１０の前面１１に沿い、各遊技釘４１との衝突を経て、下方へ転動する。
【００３５】
また、当該遊技盤Ｂａは、スタートチャッカー５０、電動チューリップ６０、スルーゲート７０、風車８０、複数の普通入賞口９０及びアタッカー１００を備えており、これらスタートチャッカー５０、電動チューリップ６０、スルーゲート７０、風車８０、各普通入賞口９０及びアタッカー１００は、図２にて示す各位置にて、遊技板１０の前面１１に遊技領域１２内にて組み付けられている。
【００３６】
スタートチャッカー５０は、センター構造物３０の下縁中央部の直下に位置しており、このスタートチャッカー５０は、その始動入賞口への遊技球の入賞に基づき、大当たり抽選（大当たりか否かの抽選）の機会を提供するとともに、所定数の賞球を払い出す契機を提供する。
【００３７】
電動チューリップ６０は、普通電動役物としての役割を果たすべく、スタートチャッカー５０の直下に位置しており、この電動チューリップ６０は、その始動入賞口への遊技球の入賞を、両羽根部材の閉鎖状態にて、規制する。また、当該電動チューリップ６０は、その始動入賞口への遊技球の入賞を、上記両羽根部材の開放状態にて容易にして、当該入賞に基づき所定数の賞球の払い出しの契機を与えるとともに、スタートチャッカー５０と同様に大当たり抽選の機会を提供する。
【００３８】
スルーゲート７０は、図２にて示すごとく、センター構造物３０の左縁中央部の左側に位置しており、このスルーゲート７０は、その直上から遊技板１０の前面１１に沿い下方へ転動する遊技球に対し通過する機会を与える。これにより、当該スルーゲート７０は、その遊技球の通過に基づき、普通図柄の抽選の契機を提供する。
【００３９】
風車８０は、スルーゲート７０の下方に位置しており、この風車８０は、遊技板１０の前面１１に沿いスルーゲート７０或いはその周囲から下方へ転動する遊技球により衝突されたとき、回転しつつ当該遊技球を下方へ転動させる。複数の普通入賞口９０は、それぞれ、その遊技球の入賞に伴い、所定数の賞球を払い出す契機を与える。
【００４０】
アタッカー１００は、図２にて示すごとく、電動チューリップ６０の直下に位置しており、このアタッカー１００は、その大入賞口の開放により、当該大入賞口への遊技球の入賞の機会を与える。
【００４１】
また、当該遊技盤Ｂａは、図２にて示すごとく、演出画像表示装置１１０及び左右両側可動演出装置２００を備えている。演出画像表示装置１１０は、表示パネル１１１を具備しており、この表示パネル１１１は、遊技板１０にその裏面側から中央開口部１３を臨むように設けられている。
【００４２】
左右両側可動演出装置２００は、図２にて示すごとく、センター構造物３０の上部に形成した山型飾り役物３１の左右両側部に設けられている。左側可動演出装置２００は、山型飾り役物３１の左側部の直下にて３つの可動装飾体２４０ａ〜２４０ｃを、表示パネル１１１の前面に沿い上下動させるように、遊技盤Ｂａと表示パネル１１１との間において遊技盤Ｂａにその裏面側から組み付けられている。
【００４３】
当該左側可動演出装置２００は、図３にて示すごとく、断面略コ字状の一側ハウジング部材２１０と、略平板状の他側ハウジング部材２２０とを備えており、他側ハウジング部材２２０は、その外周部にて、一側ハウジング部材２１０の開口部に組み付けられて、略直方体形状のハウジングを構成する。
【００４４】
また、左側可動演出装置２００は、図３にて示すごとく、電飾盤２３０と、３つの可動装飾体２４０ａ〜２４０ｃと、３つの板状案内部材２５０ａ〜２５０ｃと、３つの歯車部材２６０ａ〜２６０ｃとを備えている。
【００４５】
電飾盤２３０は、図３〜図５のいずれかにて示すごとく、柔軟性配線板である単一のフレキシブルプリント基板２３０ａと、帯状裏板２３０ｂとを備えている。フレキシブルプリント基板２３０ａは、柔軟性電気絶縁層２３１、３つの柔軟性正側配線２３２〜２３４及び一本の柔軟性負側配線２３５を内包するように構成されている（図５〜図７参照）。
【００４６】
柔軟性電気絶縁層２３１は、帯状共通層部２３１ａ及び３つの帯状独立層部２３１ｂ〜２３１ｄを図６或いは図７にて示す形状を有するように、ポリイミド等の電気絶縁材料でもって１２（μｍ）〜５０（μｍ）の範囲以内の厚さにて薄膜状にかつ一体的に形成されている。
【００４７】
電気絶縁層２３１において、３つの帯状独立層部２３１ｂ〜２３１ｄは、帯状共通層部２３１ａとは一体的に形成されて当該帯状共通層部２３１ａの幅方向一側縁部からその長手方向に対し交差するように互いに間隔をおいて独立的に並んで延出されている。
【００４８】
ここで、各独立層部２３１ｂ〜２３１ｄのうち、帯状独立層部２３１ｂは、共通層部２３１ａの幅方向一側縁部から延出する幅狭部ａと、この幅狭部ａから図６にて図示右側へ緩やかに折れ曲がるように延出する幅広部ｂとにより形成されている。
【００４９】
帯状独立層部２３１ｃは、帯状共通層部２３１ａの幅方向一側縁部から延出する幅狭部ｃと、この幅狭部ｃの延出端部から図６にて図示左側へ緩やかに折れ曲がるように延出する幅広部ｄとにより形成されている。
【００５０】
また、帯状独立層部２３１ｄは、共通層部２３１ａの幅方向一側縁部から延出する幅狭部ｅと、この幅狭部ｅの延出端部から図６にて図示右側へ緩やかに折れ曲がるように延出する幅広部ｆとにより形成されている。
【００５１】
３つの正側配線２３２〜２３４は、長手状の柔軟性銅箔でもって、図６にて示すごとく電気絶縁層２３１の表面に沿い形成されている。３つの正側配線２３２〜２３４のうち、正側配線２３２は、一対の発光ダイオード２３６ａ、２３６ｂ（後述する）のための３本の信号配線部２３２ａ〜２３２ｃでもって構成されており、これら各信号配線部２３２ａ〜２３２ｃは、図６にて示すごとく、電気絶縁層２３１の帯状独立層部２３１ｂの表面に沿いその幅広部ｂから当該独立層部２３１ｂの幅狭部ａを通り延出し、さらに帯状共通層部２３１ａの表面に沿いその左端部から右端部にかけて互いに並行に延出するように形成されている。
【００５２】
正側配線２３３は、他の一対の発光ダイオード２３７ａ、２３７ｂ（後述する）のための３本の信号配線部２３３ａ〜２３３ｃでもって構成されており、これら各信号配線部２３３ａ〜２３３ｃは、図６にて示すごとく、電気絶縁層２３１の帯状独立層部２３１ｃの表面に沿いその幅広部ｄから当該独立層部２３１ｃの幅狭部ｃを通り延出し、さらに帯状共通層部２３１ａの表面に沿いその長手方向中間部位から右端部にかけて互いに並行に延出するように形成されている。
【００５３】
また、正側配線２３４は、その他の一対の発光ダイオード２３８ａ、２３８ｂ（後述する）のための３本の信号配線部２３４ａ〜２３４ｃでもって構成されており、これら各信号配線部２３４ａ〜２３４ｃは、電気絶縁層２３１の帯状独立層部２３１ｄの表面に沿い幅広部ｆから当該独立層部２３１ｄの幅狭部ｅを通り延出し、さらに帯状共通層部２３１ａの表面に沿いその長手方向中間部位にかけて互いに並行に延出するように形成されている。本実施形態では、各正側配線２３２〜２３４の厚さは、従来と同様に、例えば、０．２（ｍｍ）となっているが、各信号配線部２３２ａ〜２３２ｃ、２３３ａ〜２３３ｃ及び２３４ａ〜２３４ｃの幅は、従来の信号配線部の幅（例えば、０．５（ｍｍ））よりも広く、例えば、３倍の広さ（１．５（ｍｍ））に設定されている。
【００５４】
１本の負側配線２３５は、負側共通配線部２３５ａ及び３本の負側独立配線部２３５ｂ〜２３５ｄを図７にて示す形状にて一体的に有するように、長手状の柔軟性銅箔でもって、電気絶縁層２３１の裏面に沿い形成されている。本実施形態では、負側配線２３５の厚さは、従来と同様に、例えば、０．２（ｍｍ）となっているが、各負側独立配線部２３５ｂ〜２３５ｄの幅は、各信号配線部２３２ａ〜２３２ｃ、２３３ａ〜２３３ｃ及び２３４ａ〜２３４ｃの幅よりも広く、例えば、２（ｍｍ）に設定されている。
【００５５】
ここで、負側共通配線部２３５ａは、各信号配線部２３２ａ〜２３２ｃのうちの電気絶縁層２３１の帯状共通層部２３１ａに対する各対応配線部位に当該帯状共通層部２３１ａを介し対向するように、この帯状共通層部２３１ａにその長手方向に沿い形成されている。
【００５６】
３つの負側独立配線部２３５ｂ〜２３５ｄのうち、負側独立配線部２３５ｂは、信号配線部２３２のうち帯状独立層部２３１ｂに対する対応部位に当該帯状独立層部２３１ｂを介し対向するように、負側共通配線部２３５ａの幅方向一側縁部から帯状独立層部２３１ｂにその裏面に沿い形成されている。
【００５７】
負側独立配線部２３５ｃは、信号配線２３３のうちの帯状独立層部２３１ｃに対する対応部位に当該帯状独立層部２３１ｃを介し対向するように、負側共通配線部２３５ａの幅方向一側縁部から帯状独立層部２３１ｃにその裏面に沿い形成されている。
【００５８】
また、負側独立配線部２３５ｄは、信号配線２３４のうちの帯状独立層部２３１ｄに対する対応部位に当該帯状独立層部２３１ｄを介し対向するように、負側共通配線部２３５ａの幅方向一側縁部から帯状独立層部２３１ｄにその裏面に沿い形成されている。
【００５９】
なお、電気絶縁層２３１は、その表面にて、各正側配線２３２〜２３４を介し、透明の絶縁被覆膜部ｈにより被覆されており、電気絶縁層２３１の裏面は、負側配線２３５を介し、透明の絶縁被覆膜部ｉによって被覆されている（図６及び図７参照）。これにより、電気絶縁層２３１、各正側配線２３２〜２３４及び負側配線２３５が、フレキシブルプリント基板２３０ａに内包されている。
【００６０】
本実施形態においては、以下、フレキシブルプリント基板２３０ａのうち、電気絶縁層２３１の共通層部２３１ａに対する対応部位を、共通基板部２３０ｃといい、電気絶縁層２３１の各独立層部２３１ｂ〜２３１ｄに対する各対応部位を、各独立基板部２３０ｄ〜２３０ｆという。これに伴い、正側配線２３２〜２３４及び負側配線２３５のうち共通層部２３１ａに対する各対応部位は、共通基板部２３０ｃに内包されるとともに、正側配線２３２〜２３４及び負側配線２３５のうちの各独立層部２３１ｂ〜２３１ｄに対する各対応部位は、それぞれ、各独立基板部２３０ｄ〜２３０ｆに内包されていることとなる。
【００６１】
また、電飾盤２３０は、３対の発光ダイオード２３６ａ、２３６ｂ、２３７ａ、２３７ｂ及び２３８ａ、２３８を、発光ダイオード毎に、電飾作動素子として備えており、当該３対の発光ダイオード２３６ａ、２３６ｂ、２３７ａ、２３７ｂ及び２３８ａ、２３８ｂは、それぞれ、赤色（Ｒ）、緑色（Ｇ）及び青色（Ｂ）の各発光部（以下、発光部Ｒ、発光部Ｇ及び発光部Ｂともいう）を各電飾作動部として有する発光ダイオード（以下、ＬＥＤともいう）でもって構成されている。
【００６２】
１対の発光ダイオード２３６ａ、２３６ｂは、フレキシブルプリント基板２３０ａの独立基板部２３０ｄのうち独立層部２３１ｂの幅広部ｂ（図６参照）に対する対応部位に絶縁被覆膜部ｈ側から図５にて示すごとく上下に位置するように搭載されている。
【００６３】
ここで、１対の発光ダイオード２３６ａ、２３６ｂは、それぞれ、発光部Ｒ、発光部Ｇ及び発光部Ｂの各正側端子にて、正側配線２３２の各信号配線部２３２ａ〜２３２ｃに絶縁被覆膜部ｈのうち幅広部ｂに対する対応部位を通し半田接続されており、１対の発光ダイオード２３６ａ、２３６ｂの各々の発光部Ｒ、発光部Ｇ及び発光部Ｂの各負側端子は、負側配線２３５の負側独立配線部２３５ｂに独立層部２３１ｂの幅広部ｂを通し半田接続されている。
【００６４】
これにより、１対の発光ダイオード２３６ａ、２３６ｂの各々は、発光部Ｒ、発光部Ｇ或いは発光部Ｂにて、発光駆動回路（図示しない）から正側配線２３２と負側配線２３５の負側共通配線部２３５ａ及び負側独立配線部２３５ｂとを介し信号電圧を印加されて、赤色、緑色或いは青色にて発光する。
【００６５】
１対の発光ダイオード２３７ａ、２３７ｂは、フレキシブルプリント基板２３０ａの独立基板部２３０ｅのうち独立層部２３１ｃの幅広部ｄ（図６参照）に対する対応部位に絶縁被覆膜部ｈ側から図５にて示すごとく上下に位置するように搭載されている。
【００６６】
ここで、１対の発光ダイオード２３７ａ、２３７ｂは、それぞれ、発光部Ｒ、発光部Ｇ及び発光部Ｂの各正側端子にて、正側配線２３３の各信号配線部２３３ａ〜２３３ｃに絶縁被覆膜部ｈのうち幅広部ｄに対する対応部位を通し半田接続されており、当該１対の発光ダイオード２３７ａ、２３７ｂの各々の発光部Ｒ、発光部Ｇ及び発光部Ｂの各負側端子は、負側配線２３５の負側独立配線部２３５ｃに独立層部２３１ｃの幅広部ｄを通し半田接続されている。
【００６７】
これにより、１対の発光ダイオード２３７ａ、２３７ｂの各々は、発光部Ｒ、発光部Ｇ或いは発光部Ｂにて、上記発光駆動回路から正側配線２３３と負側配線２３５の負側共通配線部２３５ａ及び負側独立配線部２３５ｃとを介し信号電圧を印加されて、赤色、緑色或いは青色にて発光する。
【００６８】
また、１対の発光ダイオード２３８ａ、２３８ｂは、フレキシブルプリント基板２３０ａの独立基板部２３０ｆのうち独立層部２３１ｄの幅広部ｆ（図６参照）に対する対応部位に絶縁被覆膜部ｈ側から図５にて示すごとく上下に位置するように搭載されている。
【００６９】
ここで、１対の発光ダイオード２３８ａ、２３８ｂは、それぞれ、発光部Ｒ、発光部Ｇ及び発光部Ｂの各正側端子にて、正側配線２３４の各信号配線部２３４ａ〜２３４ｃに絶縁被覆膜部ｈのうち幅広部ｆに対する対応部位を通し半田接続されており、当該１対の発光ダイオード２３８ａ、２３８ｂの各々の発光部Ｒ、発光部Ｇ及び発光部Ｂの各負側端子は、負側配線２３５の負側独立配線部２３５ｄに独立層部２３１ｄの幅広部ｆを通し半田接続されている。
【００７０】
これにより、１対の発光ダイオード２３８ａ、２３８ｂの各々は、発光部Ｒ、発光部Ｇ或いは発光部Ｂにて、上記発光駆動回路から正側配線２３４と負側配線２３５の負側共通配線部２３５ａ及び負側独立配線部２３５ｄとを介し信号電圧を印加されて、赤色、緑色或いは青色にて発光する。本実施形態では、３対の発光ダイオード２３６ａ、２３６ｂ、２３７ａ、２３７ｂ及び２３８ａ、２３８ｂが、対ごとに、独立的に発光するように上記発光駆動回路により駆動される。
【００７１】
上述のように構成された電飾盤２３０は、左側可動演出装置２００において、上述のハウジングの構成に先立ち、次のようにして他側ハウジング部材２２０に組み付けられる。
【００７２】
まず、電飾盤２３０は、図５にて示す形状となるように、折り曲げられる。即ち、電飾盤２３０の各帯状独立基板部２３０ｄ〜２３０ｆは、それぞれ、３対の発光ダイオード２３６ａ、２３６ｂ、２３７ａ、２３７ｂ及び２３８ａ、２３８ｂをその各発光部Ｒ、発光部Ｇ、発光部Ｂにて他側ハウジング部材２２０の前方に向けて臨ませるべく、図５にて図示上方に向けて凸な湾曲形状をなすように折り曲げられる。また、電飾盤２３０の共通基板部２３０ｃは、図５にて示すごとく、図示右端部にてクランク形状に折り曲げられて折り曲げ挿入部ｇを構成する。
【００７３】
しかして、このように折り曲げられた電飾盤２３０のうち各帯状独立基板部２３０ｄ〜２３０ｆは、それぞれ、各一対の発光ダイオード２３６ａ、２３６ｂ、２３７ａ、２３７ｂ及び２３８ａ、２３８ｂと共に、他側ハウジング部材２２０の裏面側から当該他側ハウジング部材２２０の各矩形状開口部２２１〜２２３（図４参照）を通して前方へ挿通される。
【００７４】
また、電飾盤２３０の共通基板部２３０ｃが、他側ハウジング部材２２０の下部にその裏面側から帯状裏板２３０ｂでもって複数のネジの締着により装着される。このとき、折り曲げ挿入部ｇが、他側ハウジング部材２２０の開口部２２４にその裏面側から挿通されて、他側ハウジング部材２２０の屈曲部２２５にその前方から係止する。
【００７５】
但し、他側ハウジング部材２２０において、上述した各矩形状開口部２２１〜２２３は、図４にて示すごとく、他側ハウジング部材２２０の上下方向中間部位にて、図示左右方向に互いに間隔をおいて形成されている。また、上述した開口部２２４は、図４にて示すごとく、他側ハウジング部材２２０の右端側下部に形成されている。また、上述した屈曲部２２５は、図４にて示すごとく、開口部２２４の図示右側に位置するように、他側ハウジング部材２２０の右端側下部から前方へＬ字状に屈曲形成されている。
【００７６】
３つの可動装飾体２４０ａ〜２４０ｃは、後述のごとく、電飾盤２３０の各帯状独立基板部２３０ｄ〜２３０ｆと共に、３つの板状案内部材２５０ａ〜２５０ｃと連動するように、これら３つの板状案内部材２５０ａ〜２５０ｃに他側ハウジング部材２２０を介し連結されている。
【００７７】
可動装飾体２４０ａは、図３、図８或いは図９にて示すごとく、提灯２４１を有しており、この提灯２４１は、半円筒状透明提灯本体２４１ａ及び裏板２４１ｂでもって構成されている。
【００７８】
ここで、裏板２４１ｂは、電飾盤２３０の帯状独立基板部２３０ｄのうち独立層部２３１ｂの幅広部ｂに対する対応部位を介し透明提灯本体２４１ａを挟持するように透明提灯本体２４１ａの開口端部に複数のネジの締着により固着されている。また、一対の発光ダイオード２３６ａ、２３６ｂは、透明提灯本体２４１ａの半円筒状壁部を通し前方へ発光するように提灯２４１に内包されている。
【００７９】
また、当該可動装飾体２４０ａは、支持アーム２４２を有しており、この支持アーム２４２は、図８にて示すごとく、透明提灯本体２４１ａの上端部から後方へ延出する基部２４２ａと、この基部２４２ａの延出端部からＬ字状に上方へ延出するアーム部２４２ｂとでもって構成されている。
【００８０】
しかして、このように構成した可動装飾体２４０ａは、後述のごとく、他側ハウジング部材２２０に沿い上下動する板状案内部材２５０ａに連動して、電飾盤２３０の帯状独立基板部２３０ｄとともに上下動するようになっている。
【００８１】
可動装飾体２４０ｂは、可動装飾体２４０ａと同様の提灯２４１と、支持アーム２４３でもって構成されており、この可動装飾体２４０ｂの提灯２４１は、その透明提灯本体２４１ａと裏板２４１ｂとの間に電飾盤２３０の帯状独立基板部２３０ｅのうち独立層部２３１ｃの幅広部ｄに対する対応部位を挟持するとともに、一対の発光ダイオード２３７ａ、２３７ｂを内包している。ここで、一対の発光ダイオード２３７ａ、２３７ｂは、可動装飾体２４０ｂの透明提灯本体２４１ａの半円筒状壁部を通し前方へ発光するように提灯２４１に内包されている。
【００８２】
また、支持アーム２４３は、図３にて示すごとく、可動装飾体２４０ｂの透明提灯本体２４１ａの上端部から後方へ延出する基部２４３ａと、この基部２４３ａの延出端部からＬ字状に上方へ延出するアーム部２４３ｂとでもって構成されている。なお、基部２４３ａの延出長さは、基部２４２ａの延出長さよりも長く、アーム部２４３ｂの延出長さは、アーム部２４２ｂの延出長さよりも短い。
【００８３】
しかして、このように構成した可動装飾体２４０ｂは、後述のごとく、他側ハウジング部材２２０に沿い上下動する板状案内部材２５０ｂに連動して、電飾盤２３０の帯状独立基板部２３０ｅとともに上下動するようになっている。
【００８４】
また、可動装飾体２４０ｃは、可動装飾体２４０ａと同様の提灯２４１と、支持アーム２４４とでもって構成されており、この可動装飾体２４０ｂの提灯２４１は、その透明提灯本体２４１ａと裏板２４１ｂとの間に電飾盤２３０の帯状基板部２３０ｆのうち独立層部２３１ｄの幅広部ｆに対する対応部位を挟持するとともに、一対の発光ダイオード２３８ａ、２３８ｂを内包している。ここで、一対の発光ダイオード２３８ａ、２３８ｂは、可動装飾体２４０ｃの透明提灯本体２４１ａの半円筒状壁部を通し前方へ発光するように提灯２４１に内包されている。
【００８５】
また、支持アーム２４４は、図３にて示すごとく、可動装飾体２４０ｃの透明提灯本体２４１ａの上端部から後方へ延出する基部２４４ａと、この基部２４４ａの延出端部からＬ字状に上方へ延出するアーム部２４４ｂとでもって構成されている。なお、基部２４４ａの延出長さは、基部２４２ａの延出長さよりも長くかつ基部２４３ａの延出長さよりも短い。また、アーム部２４４ｂの延出長さは、アーム部２４３ｂの延出長さよりも短い。
【００８６】
しかして、このように構成した可動装飾体２４０ｃは、後述のごとく、他側ハウジング部材２２０に沿い上下動する板状案内部材２５０ｃに連動して、電飾盤２３０の帯状独立基板部２３０ｆとともに上下動するようになっている。
【００８７】
３つの板状案内部材２５０ａ〜２５０ｃのうち、板状案内部材２５０ａは、図３にて示すごとく、長手状板部２５１を有しており、この長手状板部２５１の裏面の上下方向中間部位には、長手状のＵ字状壁部２５２が、長手状板部２５１の幅方向に沿うように形成されてその裏面側へ突設されている。また、長手状板部２５１の幅方向中央部には、筒状突起部２５３が、Ｕ字状壁部２５２の直下にて、長手状板部２５１からその前方へ突出形成されている。
【００８８】
板状案内部材２５０ｂは、長手状板部２５４を有しており、この長手状板部２５４の裏面の上下方向中間部位には、長手状の長楕円状壁部２５５が、長手状板部２５４の幅方向に沿い形成されてその裏面側へ突設されている。また、長手状板部２５４の幅方向中央部には、筒状突起部２５６が、長楕円状壁部２５５の直下にて、長手状板部２５４からその前方へ突出形成されている。
【００８９】
また、板状案内部材２５０ｃは、長手状板部２５７を有しており、この長手状板部２５７の裏面の上下方向中間部位には、長手状のＵ字状壁部２５８が、長手状板部２５７の幅方向に沿い形成されてその裏面側へ突設されている。また、長手状板部２５７の幅方向中央部には、筒状突起部２５９が、Ｕ字状壁部２５８の直下にて、長手状板部２５７からその前方へ突出形成されている。
【００９０】
本実施形態では、３つの可動装飾体２４０ａ〜２４０ｃ、上述のように構成した３つの板状案内部材２５０ａ〜２５０ｃ及び他側ハウジング部材２２０の間の連結構成は次のようになっている。
【００９１】
可動装飾体２４０ａは、その支持アーム２４２のアーム部２４２ｂの上端部に形成した貫通孔部２４２ｃ（図３参照）にて、段付きボス２４５の筒部２４５ａに同軸的に形成した雌ねじ孔部に、他側ハウジング部材２２０の長手状案内溝部２２６を介し、小ネジ２４２ｅにより、締着されている。但し、段付きボス２４５は、その筒部２４５ａにて、長手状案内溝部２２６内に上下動可能に嵌装されており、当該段付きボス２４５の鍔部２４５ｂは、筒部２４５ａと同軸的に形成されて、長手状案内溝部２２６にその裏面側から上下動可能に接触するようになっている。
【００９２】
また、可動装飾体２４０ａは、支持アーム２４２のアーム部２４２ｂの長手方向中間部位に形成した貫通孔部２４２ｄにて、板状案内部材２５０ａの筒状突起部２５３に同軸的に形成した雌ねじ孔部に、他側ハウジング部材２２０の長手状案内溝部２２６を介し小ネジ２４２ｅにより締着されている。但し、板状案内部材２５０ａの筒状突起部２５３は、他側ハウジング部材２２０の長手状案内溝部２２６に移動可能に挿通されている。
【００９３】
これにより、可動装飾体２４０ａは、他側ハウジング部材２２０の長手状案内溝部２２６に沿い、板状案内部材２５０ａの上下動に連動して上下動するように、支持されている。
【００９４】
ここで、本実施形態では、長手状案内溝部２２６は、図４にて示すごとく、その上下方向中間部位２２６ａにて、その幅方向へ緩やかに湾曲するように形成されている。このため、可動装飾体２４０ａは、その上下動にあたり、その上端部にて、板状案内部材２５０ａの筒状突起部２５３を基準に、提灯２４１を図４にて図示左右方向に揺動させるように傾動する。
【００９５】
可動装飾体２４０ｂは、支持アーム２４３のアーム部２４３ｂの上端部に形成した貫通孔部２４３ｃにて、段付きボス２４６の筒部２４６ａに同軸的に形成した雌ねじ孔部に、他側ハウジング部材２２０の長手状案内溝部２２７を介し、小ネジ２４３ｅにより締着されている。但し、段付きボス２４６は、その筒部２４６ａにて、長手状案内溝部２２７内に上下動可能に嵌装されており、当該段付きボス２４６の鍔部２４６ｂは、筒部２４６ａと同軸的に形成されて、長手状案内溝部２２７にその裏面側から上下動可能に接触するようになっている。
【００９６】
また、可動装飾体２４０ｂは、支持アーム２４３のアーム部２４３ｂの長手方向中間部位に形成した貫通孔部２４３ｄにて、板状案内部材２５０ｂの筒状突起部２５６に同軸的に形成した雌ねじ孔部に、他側ハウジング部材２２０の長手状案内溝部２２７を介し、小ネジ２４３ｆにより締着されている。但し、板状案内部材２５０ｂの筒状突起部２５６は、他側ハウジング部材２２０の長手状案内溝部２２７に移動可能に挿通されている。
【００９７】
これにより、可動装飾体２４０ｂは、他側ハウジング部材２２０の長手状案内溝部２２７に沿い、板状案内部材２５０ｂの上下動に連動して上下動するように、支持されている。
【００９８】
ここで、本実施形態では、長手状案内溝部２２７は、図４にて示すごとく、その上下方向中間部位２２７ａにて、その幅方向へ緩やかに湾曲するように形成されている。このため、可動装飾体２４０ｂは、その上下動にあたり、その上端部にて、板状案内部材２５０ｂの筒状突起部２５６を基準に、提灯２４１を図４にて図示左右方向に揺動させるように傾動する。
【００９９】
また、可動装飾体２４０ｃは、その支持アーム２４４のアーム部２４４ｂの上端部に形成した貫通孔部２４２ａにて、段付きボス２４７の筒部２４７ａに同軸的に形成した雌ねじ孔部に、他側ハウジング部材２２０の長手状案内溝部２２８を介し、小ネジ２４４ｅにより締着されている。但し、段付きボス２４７は、その筒部２４７ａにて、長手状案内溝部２２８内に上下動可能に嵌装されており、当該段付きボス２４７の鍔部２４７ｂは、筒部２４７ａと同軸的に形成されて、長手状案内溝部２２８にその裏面側から上下動可能に接触するようになっている。
【０１００】
また、可動装飾体２４０ｃは、その支持アーム２４４のアーム部２４４ａの長手方向中間部位に形成した貫通孔部２４４ｄにて、板状案内部材２５０ｃの筒状突起部２５９に同軸的に形成した雌ねじ孔部に、他側ハウジング部材２２０の長手状案内溝部２２８を介し、小ネジ２４４ｆにより締着されている。但し、板状案内部材２５０ｃの筒状突起部２５９は、他側ハウジング部材２２０の長手状案内溝部２２８に移動可能に挿通されている。
【０１０１】
これにより、可動装飾体２４０ｃは、他側ハウジング部材２２０の長手状案内溝部２２８を介し、板状案内部材２５０ｂの上下動に連動して上下動するように、支持されている。
【０１０２】
ここで、本実施形態では、長手状案内溝部２２８は、図４にて示すごとく、その長手方向上部２２８ａにて、その幅方向に緩やかに湾曲するように形成されている。このため、可動装飾体２４０ｃは、その上下動にあたり、その上端部にて、板状案内部材２５０ｃの筒状突起部２５９を基準に、提灯２４１を図４にて図示左右方向に揺動させるように傾動する。
【０１０３】
３つの歯車部材２６０ａ〜２６０ｃは、３つの板状案内部材２５０ａ〜２５０ｃと一側ハウジング部材２１０との間にて、電飾盤２３０の共通基板部２３０ｃ及び帯状裏板２３０ｂ並びに３つの板状案内部材２５０ａ〜２５０ｃと共に、上記ハウジング内に配設されている。
【０１０４】
当該３つの歯車部材２６０ａ〜２６０ｃのうち、歯車部材２６０ａは、平歯車部２６１と、この平歯車部２６１の半径方向中間部位にその前面（板状案内部材２５０ａ側の面）から前方に向け突出する円柱状突起部２６２とにより構成されている。
【０１０５】
歯車部材２６０ｂは、平歯車部２６３と、この平歯車部２６３の半径方向中間部位にその前面（板状案内部材２５０ｂ側の面）から前方に向け突出する円柱状突起部２６４と、平歯車部２６３からその裏面側へ同軸的に延出する環状壁部２６５とにより構成されている。
【０１０６】
また、歯車部材２６０ｃは、平歯車部２６６と、この平歯車部２６６の半径方向中間部位にその前面（板状案内部材２５０ｃ側の面）から前方に向け突出する円柱状突起部２６７とにより構成されている。
【０１０７】
上述のように構成された３つの歯車部材２６０ａ〜２６０ｃにおいて、歯車部材２６０ａは、その平歯車部２６１にて、一側ハウジング部材２１０の底壁２１０ａの貫通孔部２１１にて回転自在に支持した回転軸２１２により、歯車部材２６０ｂの平歯車部２６３と噛合するように同軸的に支持されており、当該歯車部材２６０ａの円柱状突起部２６２は、板状案内部材２５０ａの長手状のＵ字状壁部２５２内に相対摺動可能に係合している。
【０１０８】
しかして、歯車部材２６０ａが回転すると、円柱状突起部２６２が、歯車部材２６０ａの回転に伴い、平歯車部２６１の軸周りに回転する。このため、板状案内部材２５０ａは、円柱状突起部２６２によりその回転に伴い、Ｕ字状壁部２５２の内面に沿い押動されて摺動する。これにより、板状案内部材２５０ａは、可動装飾体２４０ａと共に、他側ハウジング部材２２０に沿い、図３にて図示位置からの突起部２６２の半回転に応じて下動し、また、当該突起部２６２の残りの半回転に応じて上動する。換言すれば、電飾盤２３０は、帯状独立基板部２３０ｄにて、可動装飾体２４０ａの下動或いは上動に伴い湾曲しながら一対の発光ダイオード２３６ａ、２３６ｂと共に下動或いは上動する。
【０１０９】
歯車部材２６０ｂは、その平歯車部２６３にて、一側ハウジング部材２１０の底壁２１０ａの貫通孔部２１３にて回転自在に支持した回転軸２１４により、歯車部材２６０ｃの平歯車部２６６と噛合するように同軸的に支持されており、当該歯車部材２６０ｂの円柱状突起部２６４は、板状案内部材２５０ｂの長手状の長楕円状壁部２５５内に相対摺動可能に係合している。
【０１１０】
また、当該歯車部材２６０ｂの環状壁部２６５は、一側ハウジング部材２１０の底壁２１０ａに貫通孔部２１３の軸周りに形成してなる凹状環状部２１５内に同心的にかつ回転自在に嵌装されている。本実施形態において、凹状環状部２１５は、一側ハウジング部材２１０の底壁２１０ａにその前面側から貫通孔部２１３を中心とし所定の深さにて凹状にくり抜き形成されている。但し、凹状環状部２１５は、その内径にて、歯車部材２６０ｂの環状壁部２６５の内径よりも小さく形成されており、当該凹状環状部２１５の外径は、環状壁部２６５の外径よりも大きく形成されている。
【０１１１】
しかして、歯車部材２６０ｂが回転すると、円柱状突起部２６４が、歯車部材２６０ｂの回転に伴い、平歯車部２６３の軸周りに回転する。このため、板状案内部材２５０ｂは、円柱状突起部２６４によりその回転に伴い、長手楕円状壁部２５５の内面に沿い、押動されて摺動する。これにより、板状案内部材２５０ｂは、可動装飾体２４０ｂと共に、他側ハウジング部材２２０に沿い、図３にて図示位置からの突起部２６４の半回転に応じて下動し、また、当該突起部２６４の残りの半回転に応じて上動する。換言すれば、電飾盤２３０は、帯状独立基板部２３０ｅにて、可動装飾体２４０ｂの下動或いは上動に伴い湾曲しながら一対の発光ダイオード２３７ａ、２３７ｂと共に下動或いは上動する。
【０１１２】
また、歯車部材２６０ｃは、その平歯車部２６６にて、一側ハウジング部材２１０の底壁２１０ａに形成した開口部２１６を介し、ステップモータ２７０の出力軸２７２（後述する）により同軸的に支持されており、当該歯車部材２６０ｃの円柱状突起部２６７は、板状案内部材２５０ｃの長手状のＵ字状壁部２５８内に相対摺動可能に係合している。
【０１１３】
しかして、歯車部材２６０ｃが回転すると、円柱状突起部２６７が、歯車部材２６０ｃの回転に伴い、平歯車部２６７の軸周りに回転する。このため、板状案内部材２５０ｃは、円柱状突起部２６７によりその回転に伴い、Ｕ字状壁部２５８の内面に沿い押動されて摺動する。これにより、板状案内部材２５０ｃは、可動装飾体２４０ｃと共に、他側ハウジング部材２２０に沿い、図３にて図示位置からの突起部２６７の半回転に応じて下動し、また、当該突起部２６７の残りの半回転に応じて上動する。換言すれば、電飾盤２３０は、帯状独立基板部２３０ｆにて、可動装飾体２４０ｃの下動或いは上動に伴い湾曲しながら一対の発光ダイオード２３８ａ、２３８ｂと共に下動或いは上動する。
【０１１４】
ステップモータ２７０は、モータ本体２７１にて、一側ハウジング部材２１０の底壁２１０ａにその裏面側から開口部２１６と同軸的に装着されており、当該ステップモータ２７０の出力軸２７２は、開口部２１６に同軸的に挿通されて、平歯車部２６７を同軸的に支持している。
【０１１５】
しかして、ステップモータ２７０が回転すると、歯車部材２６０ｃの平歯車部２６６が、ステップモータ２７０と同一方向に回転し、歯車部材２６０ｂの平歯車部２６３がステップモータ２７０とは逆方向に回転し、歯車部材２６０ａの平歯車部２６１がステップモータ２７０と同一方向に回転する。
【０１１６】
但し、本実施形態では、歯車部材２６０ａの突起部２６２、歯車部材２６０ｂの突起部２６４及び歯車部材２６０ｃの突起部２６７が、図３にて示すごとく、それぞれ、各平歯車部２６１、２６３及び２６６の軸心の直上に位置するときの各平歯車部２６１、２６３及び２６６の回転角位置が、各平歯車部２６１、２６３及び２６６の初期回転角位置に設定されている。本実施形態では、ステップモータ２７０の回転は、制御回路（図示しない）により制御されるようになっている。
【０１１７】
なお、当該ステップモータ２７０及び上述した各歯車部材２６０ａ〜２６０ｃ、各案内部材２５０ａ〜２５０ｃ及び各筒状ボス２４５〜２４７が、当該可動演出装置における駆動機構に対応する。
【０１１８】
初期回転角位置センサ２８０は、歯車部材２６０ｂの平歯車部２６３の初期回転角位置を検出するもので、この初期回転角位置センサ２８０は、図３にて示すごとく、Ｕ字状のフォトインタラプタ２８０ａと、支持部材２８０ｂとにより構成されて、一側ハウジング部材２１０の底壁２１０ａに形成したＴ字状開口部２１７に底壁２１０ａの裏面側から組み付けられている。
【０１１９】
ここで、Ｔ字状開口部２１７は、フォトインタラプタ２８０ａに対応する脚部及び支持部材２８０ｂに対応する頭部をＴ字状に有するように底壁２１０ａに形成されている。また、Ｔ字状開口部２１７の脚部のうちフォトインタラプタ２８０ａの受光部２８２（後述する）に対する対応部位に対応するように、凹状環状部２１５の内周側円板部２１５ａの頂部には、コ字状凹所２１５ｂが形成されている。なお、内周側円板部２１５ａは、底壁２１０ａに凹状環状部２１５をくり抜き形成することで当該凹状環状部１５の内周側に形成されている。
【０１２０】
Ｕ字状のフォトインタラプタ２８０ａは、図３にて示すごとく、発光部２８１及び受光部２８１を連結部２８３により互いに平行に連結してなるもので、このフォトインタラプタ２８０ａは、受光部２８２をコ字状凹所２１５ｂに嵌着するように、Ｔ字状開口部２１７の脚部に嵌装されている。ここで、発光部２８１及び受光部２８２の間の間隙は、凹状環状部２１５の内周面と外周面との間隔に一致している。また、発光部２８１及び受光部２８２は、歯車部材２６０ｂの環状壁２６５の頂部に形成したスリット２６５ａを通して互いに対向している。
【０１２１】
支持部材２８０ｂは、底壁部２８４及び後壁部２８５でもって、Ｌ字板状に形成されている。当該支持部材２８０ｂは、その底壁部２８４にて、発光部２８１のフランジ部２８１ａと共に、Ｔ字状開口部２１７の頭部に嵌装されており、この支持部材２８０ｂの後壁部２８５は、一側ハウジング部材２１０の底壁２１０ａにその裏面側からＴ字状開口部２１７の左右両側にて複数のネジにより締着されている。また、支持部材２８０ｂの底壁部２８４は、フォトインタラプタ２８０ａの発光部２８１から左右両側に延出する両フランジ部にその上方から複数のネジにより締着されている。
【０１２２】
このように構成した初期回転角位置センサ２８０によれば、歯車部材２６０ｂの回転に伴い、環状壁２６５のスリット２６５ａが、フォトインタラプタ２８０ａの発光部２８１と受光部２８２との間に達することで、受光部２８２が発光部２８１からの出射光を受光したとき、フォトインタラプタ２８０ａは、受光部２８２の受光に基づき歯車部材２６０ｂの初期回転角位置を検出する。このことは、初期回転角位置センサ２８０が歯車部材２６０ｂの平歯車部２６３の初期回転角位置を検出することを意味する。なお、フォトインタラプタ２８０ａは、その発光部２８１にて、発光駆動回路（図示しない）により発光駆動される。
【０１２３】
また、左側可動演出装置２００は、図３にて示すごとく、回路基板２９０ａ及び透明の装飾板２９０ｂを備えており、透明の装飾板２９０ｂは、回路基板２９０ａと共に、他側ハウジング部材２２０にその前側から各可動装飾体２４０ａ〜２４０ｃの支持アーム２４２ｂ、２４３ｂ及び２４４ｂを介し、複数のネジにより積層状に締着されている。
【０１２４】
これにより、回路基板２９０ａに設けた複数の発光ダイオード２９１の出射光が装飾板２９０ｂを通して前方へ出射する。なお、右側可動演出装置２００は、左側可動演出装置２００と同様に構成されて、図２にて示すごとく、山型飾り役物３１の右側部の直下にて３つの可動装飾体２４０ａ〜２４０ｃを、表示パネル１１１の前面に沿い上下動させるように、遊技板１０の裏面側に設けられている。
【０１２５】
以上のように構成した本実施形態において、左右両側可動演出装置２００の作動を、左側可動演出装置２００を例に挙げて説明する。現段階において、可動装飾体２４０ａが、図９及び図１８（ａ）にて示すごとく、図示上動端に位置するものとする。
【０１２６】
このとき、残りの各可動装飾体２４０ｂ、２４０ｃは、それぞれ、図９〜図１１のいずれかにて示す位置にあり、電飾盤２３０の３つの独立基板部２３０ｄ〜２３０ｆは、その長手方向中間部位にて、図１１にて示すごとく、上に凸な湾曲部ｊ、ｋ及びｍを形成するように湾曲している。
【０１２７】
また、電飾盤２３０においては、３対の発光ダイオード２３６ａ、２３６ｂ、２３７ａ、２３７ｂ及び２３８ａ、２３８ｂが、一対毎に、異なるタイミングにて、上述の発光駆動回路により、発光駆動される。このため、３対の発光ダイオード２３６ａ、２３６ｂ、２３７ａ、２３７ｂ及び２３８ａ、２３８ｂが、一対毎に、異なるタイミングにて、３つの可動装飾体２４０ａ、２４０ｂ及び２４０ｃの各提灯本体２４１ａを通してフルカラーにて発光する。
【０１２８】
このような状態において、ステップモータ２７０が図１０或いは図１１にて図示反時計方向（図３にて図示時計方向）に回転すると、歯車部材２６０ｃがステップモータ２７０と同一方向に回転する。換言すれば、平歯車部２６６が、ステップモータ２７０と同一方向に回転し、突起部２６７が、平歯車部２６６の軸周りに沿い、ステップモータ２７０と同一方向に回転する。
【０１２９】
上述のように歯車部材２６０ｃがステップモータ２７０と同一方向に回転すると、板状案内部材２５０ｃが、Ｕ字状壁部２５８の内面の突起部２６７との間の相対摺動のもとに、この突起部２６７により上方へ押動されて、一側ハウジング部材２２０の長手状案内溝部２２８（図９参照）に沿い上動する。
【０１３０】
すると、可動装飾体２４０ｃが、板状案内部材２５０ｃの上動に応じてその筒状突起部２５９により上方に向け長手状案内溝部２２８に沿い押動されて上動する。
【０１３１】
ここで、可動装飾体２４０ｃのアーム部２４４ｂが上述のごとくその上端部にて段付きボス２４７と連結されており、かつ、案内溝部２２８が、その長手方向上部２２８ａにて、その幅方向に緩やかに湾曲して形成されている。
【０１３２】
このため、可動装飾体２４０ｃが、アーム部２４４ｂの上端部にて、板状案内部材２５０ｃの筒状突起部２５９を基準に左右方向に傾動して、提灯２４１を、一対の発光ダイオード２３８ａ、２３８ｂからのフルカラーの発光のもとに左右方向に揺動させながら、長手状案内溝部２２８に沿い上動する。このとき、可動装飾体２４０ｃの上動に伴い、電飾盤２３０の帯状独立基板部２３０ｆが湾曲部ｍを上動させる（図１１参照）。
【０１３３】
また、上述のように平歯車部２６６がステップモータ２７０と同一方向に回転すると、歯車部材２６０ｂの平歯車部２６３が、平歯車部２６６との噛合のもとに、この平歯車２６６とは逆方向に回転する。このことは、歯車部材２６０ｂが、平歯車部２６６とは逆方向に回転することを意味する。従って、突起部２６４が、平歯車部２６３の軸周りに沿い、平歯車部２６６とは逆方向に回転する。
【０１３４】
上述のように歯車部材２６０ｂが平歯車部２６６とは逆方向（図３にて図示反時計方向）に回転すると、板状案内部材２５０ｂが、長楕円状壁部２５５の内面の突起部２６４との間の相対摺動のもとに、この突起部２６４により下方へ押動されて、一側ハウジング部材２２０の長手状案内溝部２２７（図１２参照）に沿い下動する。
【０１３５】
すると、可動装飾体２４０ｂが、板状案内部材２５０ｂの下動に応じてその筒状突起部２５６により下方に向け長手状案内溝部２２７に沿い押動されて下動する。ここで、可動装飾体２４０ｂのアーム部２４３ｂが上述のごとくその上端部にて段付きボス２４６と連結されており、かつ、案内溝部２２７が、その長手方向上部２２７ａにて、その幅方向に緩やかに湾曲して形成されている。
【０１３６】
このため、可動装飾体２４０ｂが、アーム部２４３ｂの上端部にて、板状案内部材２５０ｂの筒状突起部２５６を基準に左右方向に傾動して、提灯２４１を一対の発光ダイオード２３７ａ、２３７ｂからのフルカラーの発光のもと左右方向に揺動させながら、長手状案内溝部２２７に沿い下動する（図１３及び図１４参照）。このとき、可動装飾体２４０ｂの下動に伴い、電飾盤２３０のうち帯状独立基板部２３０ｅが湾曲部ｋを下動させる。
【０１３７】
また、上述のように平歯車部２６３が平歯車部２６６とは逆方向に回転すると、歯車部材２６０ａの平歯車部２６１が、平歯車部２６３との噛合のもとに、この平歯車部２６３とは逆方向（図３にて図示時計方向）に回転する。このことは、歯車部材２６０ａが、平歯車部２６３とは逆方向に回転することを意味する。従って、突起部２６２が、平歯車部２６１の軸周りに沿い、平歯車部２６３とは逆方向に回転する。
【０１３８】
上述のように歯車部材２６０ａが平歯車部２６３とは逆方向（図３にて図示時計方向）に回転すると、板状案内部材２５０ａが、長手Ｕ字状壁部２５２の内面の突起部２６２との相対摺動のもとに、この突起部２６２により上方へ押動されて、一側ハウジング部材２２０の長手状案内溝部２２６（図１５参照）に沿い上動する。
【０１３９】
すると、可動装飾体２４０ａが、板状案内部材２５０ａの上動に応じてその筒状突起部２５３により上方に向け長手状案内溝部２２６に沿い押動されて上動する。ここで、可動装飾体２４０ａのアーム部２４２ｂが上述のごとくその上端部にて段付きボス２４５と連結されており、かつ、案内溝部２２６が、その長手方向上部２２６ａにて、その幅方向に緩やかに湾曲して形成されている。
【０１４０】
このため、可動装飾体２４０ａが、アーム部２４２ｂの上端部にて、板状案内部材２５０ａの筒状突起部２５３を基準に左右方向に傾動して、提灯２４１を、一対の発光ダイオード２３６ａ、２３６ｂからのフルカラーの発光のもと左右方向に揺動させながら長手状案内溝部２２６に沿い上動する（図１８（ｃ）、図１５及び図１６参照）。このとき、可動装飾体２４０ａの上動に伴い、電飾盤２３０のうち帯状独立基板部２３０ｄが湾曲部ｊを上動させる。
【０１４１】
以上説明したように、本実施形態では、電飾盤２３０において、遊技盤Ｂａに一側及び他側の両ハウジング部材２１０、２２０からなるハウジングを介し支持される共通基板部２３０ｃと、この共通基板部２３０ｃとは一体的に形成されるとともに当該共通基板部から互いに独立的に延出してなる複数の帯状独立基板部２３０ｄ〜２３０ｆとが、単一のフレキシブルプリント基板２３０ａでもって形成されている。
【０１４２】
このため、可動演出装置において従来必須とされてきた複数の基板が、単一のフレキシブル基板２３０ａで済むこととなり、その結果、可動演出装置における基板の点数及び可動演出装置の組み立て作業工数を軽減させることができる。
【０１４３】
さらに、フレキシブルプリント基板２３０ａは、柔軟性電気絶縁層２３１、複数の正側配線２３２〜２３４及び負側配線２３５を内包するように構成されており、柔軟性電気絶縁層２３１は、フレキシブル基板２３０ａの共通基板部２３０ｃに内包される共通層部２３１ａと、複数の帯状独立基板部２３０ｄ〜２３０ｆの各々に内包されて共通層部２３１ａとは一体的に形成されるとともに当該共通層部から互いに独立して並行に延出する各帯状独立層部２３１ｂ〜２３１ｄとによって構成されている。
【０１４４】
また、複数の正側配線２３２〜２３４は、それぞれ、互いに独立した並行な各複数の信号配線部２３２ａ〜２３２ｃ、２３３ａ〜２３３ｃ及び２３４ａ〜２３４ｃとして、柔軟性電気絶縁層２３１の表面に沿い共通層部２３１ａから複数の帯状独立層部２３１ｂ〜２３１ｄにかけて形成されてフレキシブル基板２３０ａに内包されている。
【０１４５】
一方、負側配線２３５は、フレキシブル基板２３０ａの共通基板部２３０ｃに内包される負側共通配線部２３５ａと、フレキシブル基板２３０ａの複数の独立基板部２３０ｄ〜２３０ｆの各々に内包されて柔軟性電気絶縁層２３１の複数の帯状独立層部２３１ｂ〜２３１ｄの各々にその裏面側から形成される各負側独立配線部２３５ｂ〜２３５ｄとによって構成されている。
【０１４６】
また、３対の発光ダイオード２３６ａ、２３６ｂ、２３７ａ、２３７ｂ及び２３８ａ、２３８ｂが、対毎に、複数の帯状独立基板部２３０ｄ〜２３０ｆの各々に柔軟性電気絶縁層２３１の表面側から搭載されており、当該３対の発光ダイオード２３６ａ、２３６ｂ、２３７ａ、２３７ｂ及び２３８ａ、２３８ｂの各々の複数の発光部Ｒ、発光部Ｇ及び発光部Ｂは、その各一側端子にて、複数の信号配線部２３２ａ〜２３２ｃ、２３３ａ〜２３３ｃ及び２３４ａ〜２３４ｃの各々に接続され、その各他側端子にて、複数の帯状独立層部２３１ｂ〜２３１ｄの各々を介し、各負側独立配線部２３５ｂ〜２３５ｄに接続されている。
【０１４７】
このため、可動演出装置における３対の発光ダイオード２３６ａ、２３６ｂ、２３７ａ、２３７ｂ及び２３８ａ、２３８ｂの各発光のための配線やコネクタ等の接続部品の点数や可動演出装置の組み立て作業工数を軽減させることができる。
【０１４８】
また、上述のごとく、フレキシブル基板２３０ａは、その複数の帯状独立基板部２３０ｃ〜２３０ｆにて、それぞれ、各負側独立配線部２３５ｂ〜２３５ｄの長手方向中間部位から各対応の複数の信号配線部２３２ａ〜２３２ｃ、２３３ａ〜２３３ｃ及び２３４ａ〜２３４ｃの各長手方向中間部位に向けて凸な湾曲形状となるように、複数の可動装飾体２４０ａ〜２４０ｃの各々及び上記ハウジングによって支持されており、複数の可動装飾体２４０ａ〜２４０ｃは、それぞれ、複数の帯状独立基板部２３０ｄ〜２３０ｆの各々にその先端側にて支持されて、上記駆動機構による駆動のもと、複数の信号配線部２３２ａ〜２３２ｃ、２３３ａ〜２３３ｃ及び２３４ａ〜２３４ｃをその各長手方向中間部位の湾曲方向或いはその逆方向に変位させつつ独立的に移動する。
【０１４９】
これにより、フレキシブル基板２３０ａは、複数の帯状独立基板部２３０ｃ〜２３０ｅにて上述のように変位するにあたり、複数の信号配線部２３２ａ〜２３２ｃ、２３３ａ〜２３３ｃ及び２３４ａ〜２３４ｃを複数の負側独立配線部２３５ｂ〜２３５ｄの外側に位置させた状態で、各独立基板部２３０ｃ〜２３０ｅが上述のように湾曲状に変位する。
【０１５０】
このため、複数の帯状独立基板部２３０ｃ〜２３０ｅの上述の湾曲状変位による負荷は、複数の負側独立配線部２３５ｂ〜２３５ｄよりも各複数の信号配線部２３２ａ〜２３２ｃ、２３３ａ〜２３３ｃ及び２３４ａ〜２３４ｃの方にて小さく作用する。従って、複数の信号配線部２３２ａ〜２３２ｃ、２３３ａ〜２３３ｃ及び２３４ａ〜２３４ｃが、その長手方向湾曲部位にて、断線等の導通不良を招くことはない。
【０１５１】
その結果、上述のような可動演出装置における基板等の構成部品の点数、各発光ダイオードの発光のための配線等の接続部品の点数や可動演出装置の組み立て作業工数を軽減させる作用効果が、複数の信号配線部２３２ａ〜２３２ｃ、２３３ａ〜２３３ｃ及び２３４ａ〜２３４ｃの断線等の導通不良の発生を未然に防止しつつ、達成され得る。
【０１５２】
ここで、上述したごとく、複数の信号配線部２３２ａ〜２３２ｃ、２３３ａ〜２３３ｃ及び２３４ａ〜２３４ｃの各々の幅は、従来の３倍となっており、かつ、複数の負側独立配線部２３５ｂ〜２３５ｄも、従来よりも広い幅を有するため、上述した断線等の導通不良の発生の防止がより一層確実に達成され得る。
【０１５３】
また、複数の負側独立配線部２３５ｂ〜２３５ｄのいずれかが仮に断線したとすると、この断線に係る負側独立配線部に対応する帯状独立基板部２３０ｃ、２３０ｄ或いは２３０ｅに搭載の一対の発光ダイオードが発光不能となる。これに対し、複数の信号配線部２３２ａ〜２３２ｃ、２３３ａ〜２３３ｃ或いは２３４ａ〜２３４ｃのうちのいずれかの信号配線部が、仮に断線しても、残りの信号配線部が正常であれば、当該残りの信号配線部に接続した発光部を有する発光ダイオードの発光作動を正常に維持できる。従って、信号配線部の断線による発光ダイオードの発光に対する影響度合いは、負側独立配線部の断線による発光ダイオードの発光に対する影響度合いに比べて、軽度で済む。
【０１５４】
なお、本発明の実施にあたり、上記実施形態に限ることなく、次のような種々の変形例が挙げられる。
（１）上記実施形態にて述べた発光ダイオードは、それぞれ、複数の発光部Ｒ、発光部Ｇ及び発光部Ｂを有するフルカラー型の発光ダイオードであるが、これに限ることなく、互いに発光色を異色或いは同色とする単一の発光部を有してなる複数の発光ダイオードであってもよい。
（２）上記実施形態にて述べた可動装飾体２４０ａ〜２４０ｃに限ることなく、装飾可能な可動体であれば、どのような構成のものであってもよい。
（３）上記実施形態にて述べたステップモータに代えて、直流モータ等の他の電動機を採用してもよい。
（４）上記実施形態にて述べた負側配線２３５の複数の負側独立配線部２３５ｂ〜２３５ｄは、それぞれ、単一の独立配線部に限ることなく、各負側独立配線部２３５ｂ〜２３５ｄ毎に、例えば、２本の負側独立配線部としてもよく、一般的には、複数の正側配線２３２〜２３４の各々の独立配線部の本数よりも、少ない本数の負側独立配線部としてもよい。なお、いずれの負側独立配線部であっても、正側配線部の幅よりも広い幅を有することが望ましい。
（５）上記実施形態にて述べた各案内部材２５０ａ〜２５０ｃにおけるＵ字状壁部２５２、楕円状壁部２５５及びＵ字状壁部２５８に代えて、左右方向の長手状凹部を内側に形成する壁部を採用してもよく、一般的には、各長手状板部２５１、２５４、２５５からその後方へ突出していてもいなくても、当該各長手状板部から後方に向けて開口する左右方向に長手状の凹部であれば、どのような凹部を採用してもよく、また、凹部に代えて貫通穴部を採用してもよい。
【符号の説明】
【０１５５】
Ｂａ…遊技盤、Ｒ、Ｇ、Ｂ…発光部、２３０…電飾盤、１３…中央開口部、
３０…センター構造物、１１１…表示パネル、２３０ａ…フレキシブルプリント基板、
２３０ｃ…共通基板部、２３０ｄ〜２３０ｆ…独立基板部、２３１…電気絶縁層、
２３１ａ…共通層部、２３１ｂ〜２３１ｄ…独立層部、２３２〜２３４…正側配線、
２３２ａ〜２３２ｃ、２３３ａ〜２３３ｃ、２３４ａ〜２３４ｃ…信号配線部、
２３５…負側配線、２３５ａ…負側共通配線部、２３５ｂ〜２３５ｄ…負側独立配線部、
２３６ａ、２３６ｂ、２３７ａ、２３７ｂ、２３８ａ、２３８ｂ…発光ダイオード、
２４０ａ、２４０ｂ、２４０ｃ…可動装飾体、２１０…一側ハウジング部材、
２１０ａ…底壁、２２０…他側ハウジング部材、２２１〜２２３…開口部、
２２６〜２２８…長手状溝部、２４１…提灯、２４５〜２４７…段付きボス、
２５０ａ〜２５０ｃ…板状案内部材、２５１、２５４、２５５…長手状板部、
２４２〜２４４…支持アーム、２５２、２５８…Ｕ字状壁部、２５５…長楕円状壁部、
２５３、２５６、２５９…突起部、２６０ａ〜２６０ｃ…歯車部材、
２６１、２６３、２６６…歯車部、２６２、２６４、２６７…突起部、
２７０…ステップモータ。
【図１】
0005518506.tif 000002
【図２】
0005518506.tif 000003
【図３】
0005518506.tif 000004
【図４】
0005518506.tif 000005
【図５】
0005518506.tif 000006
【図６】
0005518506.tif 000007
【図７】
0005518506.tif 000008
【図８】
0005518506.tif 000009
【図９】
0005518506.tif 000010
【図１０】
0005518506.tif 000011
【図１１】
0005518506.tif 000012
【図１２】
0005518506.tif 000013
【図１３】
0005518506.tif 000014
【図１４】
0005518506.tif 000015
【図１５】
0005518506.tif 000016
【図１６】
0005518506.tif 000017
【図１７】
0005518506.tif 000018
【図１８】
0005518506.tif 000019